(57)【要約】【課題】  未知の記録媒体情報を持つ記録媒体において良好な記録方法を選択し、記録品質に影響の大きい因子を制御することで効率のよく好適な記録波形を導出できる光記録媒体の記録方法及び記録装置を提供する。【解決手段】  相変化型光記録媒体に複数種の記録マークを記録する装置において、記録媒体の記録方法の情報に対し、記録装置内に前記記録媒体の情報に対応する記録を保存する機能を有する記録装置が、第１の過程として記録媒体に記録されている情報と、記録装置内の記録媒体の情報とを照会し、第２の過程として記録媒体の情報に対応する情報を元に記録媒体に記録し、記録媒体上の情報に対応する記録方法の情報が設定されていない場合に第３の過程として記録媒体上の記録方法に関する情報を元に記録装置内に予め設定されている他の記録媒体情報から記録方法を決定する構成にする。【選択図】  図３
2007058939.tif 000002
【特許請求の範囲】
【請求項１】
相変化型光記録媒体に複数種の大きさの記録マークを記録する記録方法において、前記記録媒体に記録された前記記録媒体の記録条件を含む記録媒体情報と、前記記録装置内に記録された複数の記録媒体情報とを比較し、前記記録装置内に前記記録媒体中の記録媒体情報と一致する記録媒体情報が無い場合に、前記記録装置内の記録媒体を記録するための１以上の記録波形情報で前記記録媒体の記録品質を確認することを特徴とする光記録媒体の記録方法。
【請求項２】
前記記録品質が所定値以上であれば前記記録媒体に記録することを特徴とする請求項1に記載の光記録媒体の記録方法。
【請求項３】
前記記録品質が所定値未満であれば、前記記録媒体の記録条件を変更して前記記録媒体の記録品質を確認することを特徴とする請求項１又は２に記載の光記録媒体の記録方法。
【請求項４】
前記記録波形は、フロントパルス部（ＦＰ部）及びマルチパルス部（ＭＰ部）及びラストパルス部（ＬＰ部）及びクーリングパルス部（ＣＰ部）から選択される１以上の部から構成され、前記各パルスの熱量または記録パワーＰｗと消去パワーＰｅとの比率Ｐｗ／Ｐｅを変化させて前記記録媒体の記録品質の確認することを特徴とする請求項１から３のいずれか１項に記載の光記録媒体の記録方法。
【請求項５】
前記記録波形は、フロントパルス部（ＦＰ部）及びマルチパルス部（ＭＰ部）及びラストパルス部（ＬＰ部）及びクーリングパルス部（ＣＰ部）から選択される１以上の部から構成され、前記マルチパルス部（ＭＰ部）の熱量を変化させて前記記録媒体の記録品質の確認することを特徴とする請求項１から３のいずれか１項に記載の光記録媒体の記録方法。
【請求項６】
前記記録波形は、フロントパルス部（ＦＰ部）及びマルチパルス部(ＭＰ部)及びラストパルス部（ＬＰ部）及びクーリングパルス部（ＣＰ部）から選択される１以上の部から構成され、記録パワーＰｗと消去パワーＰｅとの比率Ｐｗ／Ｐｅを変化させて前記記録媒体の記録品質の確認することを特徴とする請求項１から３または５のいずれか１項に記載の光記録媒体の記録方法。
【請求項７】
前記光記録媒体の記録層がＡα−Ｂβ−Ｃγ−Ｇｅδ−Ｔｅεで表され、Ａは主にＡｇ及び又はＧｅであり、ＢはＩｎ及び又はＧａであり、ＣはＳｂ、Ｔｅ及び又はＳｎ、ＮあるいはＯであり、それぞれの組成比α、β、γ、δ、ε（原子％）が
０＜α≦６
０≦β≦１５
５０≦γ≦７０
５≦δ≦３５
０≦ε≦５
α＋β＋γ＋δ＋ε＋ζ＝１００
であることを特徴とする請求項１から６のいずれか１項に記載の光記録媒体の光記録方法。
【請求項８】
相変化型光記録媒体に複数種の大きさの記録マークを記録する記録装置において、前記記録媒体に記録された前記記録媒体の記録条件を含む記録媒体情報と、前記記録装置内に記録された複数の記録媒体情報とを比較し、前記記録装置内に前記記録媒体中の記録媒体情報と一致する記録媒体情報が無い場合に、前記記録装置内の記録媒体を記録するための１以上の記録波形情報で前記記録媒体の記録品質を確認する制御手段を備えたことを特徴とする光記録媒体の記録装置。
【請求項９】
前記制御手段は、前記記録品質が所定値以上であれば前記記録媒体に記録することを特徴とする請求項８に記載の光記録媒体の記録装置。
【請求項１０】
前記制御手段は、前記記録品質が所定値未満であれば、前記記録媒体の記録条件を変更して前記記録媒体の記録品質を確認することを特徴とする請求項８又は９に記載の光記録媒体の記録装置。
【請求項１１】
前記制御手段は、前記記録波形が、フロントパルス部（ＦＰ部）及びマルチパルス部(ＭＰ部)及びラストパルス部（ＬＰ部）及びクーリングパルス部（ＣＰ部）から選択される１以上の部から構成され、前記各パルスの熱量または記録パワーＰｗと消去パワーＰｅとの比率Ｐｗ／Ｐｅを変化させて前記記録媒体の記録品質の確認することを特徴とする請求項８から１０のいずれか１項に記載の光記録媒体の記録装置。
【請求項１２】
前記制御手段は、前記記録波形が、フロントパルス部（ＦＰ部）及びマルチパルス部（ＭＰ部）及びラストパルス部（ＬＰ部）及びクーリングパルス部（ＣＰ部）から選択される１以上の部から構成され、前記マルチパルス部（ＭＰ部）の熱量を変化させて前記記録媒体の記録品質の確認することを特徴とする請求項８から１０のいずれか１項に記載の光記録媒体の記録装置。
【請求項１３】
前記制御手段は、前記記録波形が、フロントパルス部（ＦＰ部）及びマルチパルス部（ＭＰ部）及びラストパルス部（ＬＰ部）及びクーリングパルス部（ＣＰ部）から選択される１以上の部から構成され、記録パワーＰｗと消去パワーＰｅとの比率Ｐｗ／Ｐｅを変化させて前記記録媒体の記録品質の確認することを特徴とする請求項８から１０または１２のいずれか１項に記載の光記録媒体の記録装置。
【請求項１４】
前記光記録媒体の記録層がＡα−Ｂβ−Ｃγ−Ｇｅδ−Ｔｅεで表され、Ａは主にＡｇ及び又はＧｅであり、ＢはＩｎ及び又はＧａであり、ＣはＳｂ、Ｔｅ及び又はＳｎ、ＮあるいはＯであり、それぞれの組成比α、β、γ、δ、ε（原子％）が
０＜α≦６
０≦β≦１５
５０≦γ≦７０
５≦δ≦３５
０≦ε≦５
α＋β＋γ＋δ＋ε＋ζ＝１００
であることを特徴とする請求項８から１３のいずれか１項に記載の光記録媒体の光記録装置。
【発明の詳細な説明】
【技術分野】
【０００１】
本発明は、光記録媒体の記録方法及び記録装置に関し、特に記録可能なコンパクトディスク（ＣＤ−ＲＷ）及びＤＶＤ−ＲＷ、ＤＶＤ＋ＲＷなどに応用される未知の記録媒体情報を持つ記録媒体に対して良好な記録を自動的に選択して設定することができる光記録媒体の記録方法及び記録装置に関する。
【背景技術】
【０００２】
従来では、書換可能な相変化型光記録媒体は一般的に既存の記録媒体にて最適化された記録波形を記録装置内に記憶しておき、記録媒体毎に最適な記録波形を読み出して記録する方式が取られていた（例えば、特許文献１、２参照。）。
【特許文献１】特開２００３−９９９３２号公報
【特許文献２】特開２００５−１１３９１号公報
【発明の開示】
【発明が解決しようとする課題】
【０００３】
しかし、上述した従来技術では、新規参入生産会社や新種の記録媒体が出てきた場合、最適化した記録波形がないため記録媒体上に記載の記録波形を用いるか、記録装置固有の記録波形を用いられているが、最適化されていないため記録品質が劣化するおそれがある。
【０００４】
本発明は、上述した実情を考慮してなされたものであって、未知の記録波形情報を持つ記録媒体に良好な記録方法を選択し、記録品質に影響の大きい因子を制御して効率のよく好適な記録波形を導出することができ、新規参入製造会社や新種の記録媒体が出現した場合でも、最適な記録波形を読み出して記録・再生する方式を採用した光記録媒体の記録方法及び記録装置を提供することを目的とする。
【課題を解決するための手段】
【０００５】
本発明者らは光記録媒体の改善に鋭意研究を重ねた結果、前記課題を克服する光記録媒体の光記録方法及び記録装置を見出した。
上記の課題を解決するために、請求項１記載の発明は、相変化型光記録媒体に複数種の大きさの記録マークを記録する記録方法において、前記記録媒体に記録された前記記録媒体の記録条件を含む記録媒体情報と、前記記録装置内に記録された複数の記録媒体情報とを比較し、前記記録装置内に前記記録媒体中の記録媒体情報と一致する記録媒体情報が無い場合に、前記記録装置内の記録媒体を記録するための１以上の記録波形情報で前記記録媒体の記録品質を確認することを特徴とする。
【０００６】
請求項２記載の発明は、請求項１に記載の発明において、前記記録品質が所定値以上であれば前記記録媒体に記録することを特徴とする。
【０００７】
請求項３記載の発明は、請求項１又は２に記載の発明において、前記記録品質が所定値未満であれば、前記記録媒体の記録条件を変更して前記記録媒体の記録品質を確認することを特徴とする。
【０００８】
請求項４記載の発明は、請求項１から３のいずれか１項に記載の発明において、前記記録波形は、フロントパルス部（ＦＰ部）及びマルチパルス部（ＭＰ部）及びラストパルス部（ＬＰ部）及びクーリングパルス部（ＣＰ部）から選択される１以上の部から構成され、前記各パルスの熱量または記録パワーＰｗと消去パワーＰｅとの比率Ｐｗ／Ｐｅを変化させて前記記録媒体の記録品質の確認することを特徴とする。
【０００９】
請求項５記載の発明は、請求項１から３のいずれか１項に記載の発明において、前記記録波形は、フロントパルス部（ＦＰ部）及びマルチパルス部（ＭＰ部）及びラストパルス部（ＬＰ部）及びクーリングパルス部（ＣＰ部）から選択される１以上の部から構成され、前記マルチパルス部（ＭＰ部）の熱量を変化させて前記記録媒体の記録品質の確認することを特徴とする。
【００１０】
請求項６記載の発明は、請求項１から３または５のいずれか１項に記載の発明において、前記記録波形は、フロントパルス部（ＦＰ部）及びマルチパルス部（ＭＰ部）及びラストパルス部（ＬＰ部）及びクーリングパルス部（ＣＰ部）から選択される１以上の部から構成され、記録パワーＰｗと消去パワーＰｅとの比率Ｐｗ／Ｐｅを変化させて前記記録媒体の記録品質の確認することを特徴とする。
【００１１】
請求項７記載の発明は、請求項１から６のいずれか１項に記載の発明において、前記光記録媒体の記録層がＡα−Ｂβ−Ｃγ−Ｇｅδ−Ｔｅεで表され、Ａは主にＡｇ及び又はＧｅであり、ＢはＩｎ及び又はＧａであり、ＣはＳｂ、Ｔｅ及び又はＳｎ、ＮあるいはＯであり、それぞれの組成比α、β、γ、δ、ε（原子％）が
０＜α≦６
０≦β≦１５
５０≦γ≦７０
５≦δ≦３５
０≦ε≦５
α＋β＋γ＋δ＋ε＋ζ＝１００
であることを特徴とする。
【００１２】
請求項８記載の発明は、相変化型光記録媒体に複数種の大きさの記録マークを記録する記録装置において、前記記録媒体に記録された前記記録媒体の記録条件を含む記録媒体情報と、前記記録装置内に記録された複数の記録媒体情報とを比較し、前記記録装置内に前記記録媒体中の記録媒体情報と一致する記録媒体情報が無い場合に、前記記録装置内の記録媒体を記録するための１以上の記録波形情報で前記記録媒体の記録品質を確認する制御手段を備えたことを特徴とする。
【００１３】
請求項９記載の発明は、請求項８に記載の発明において、前記制御手段は、前記記録品質が所定値以上であれば前記記録媒体に記録することを特徴とする。
【００１４】
請求項１０記載の発明は、請求項８又は９に記載の発明において、前記制御手段は、前記記録品質が所定値未満であれば、前記記録媒体の記録条件を変更して前記記録媒体の記録品質を確認することを特徴とする。
【００１５】
請求項１１記載の発明は、請求項８から１０のいずれか１項に記載の発明において、前記制御手段は、前記記録波形が、フロントパルス部（ＦＰ部）及びマルチパルス部（ＭＰ部）及びラストパルス部（ＬＰ部）及びクーリングパルス部（ＣＰ部）から選択される１以上の部から構成され、前記各パルスの熱量または記録パワーＰｗと消去パワーＰｅとの比率Ｐｗ／Ｐｅを変化させて前記記録媒体の記録品質の確認することを特徴とする。
【００１６】
請求項１２記載の発明は、請求項８から１０のいずれか１項に記載の発明において、前記制御手段は、前記記録波形が、フロントパルス部（ＦＰ部）及びマルチパルス部（ＭＰ部）及びラストパルス部（ＬＰ部）及びクーリングパルス部（ＣＰ部）から選択される１以上の部から構成され、前記マルチパルス部（ＭＰ部）の熱量を変化させて前記記録媒体の記録品質の確認することを特徴とする。
【００１７】
請求項１３記載の発明は、請求項８から１０または１２のいずれか１項に記載の発明において、前記制御手段は、前記記録波形が、フロントパルス部（ＦＰ部）及びマルチパルス部（ＭＰ部）及びラストパルス部（ＬＰ部）及びクーリングパルス部（ＣＰ部）から選択される１以上の部から構成され、記録パワーＰｗと消去パワーＰｅとの比率Ｐｗ／Ｐｅを変化させて前記記録媒体の記録品質の確認することを特徴とする。
【００１８】
請求項１４記載の発明は、請求項８から１３のいずれか１項に記載の発明において、前記光記録媒体の記録層がＡα−Ｂβ−Ｃγ−Ｇｅδ−Ｔｅεで表され、Ａは主にＡｇ及び又はＧｅであり、ＢはＩｎ及び又はＧａであり、ＣはＳｂ、Ｔｅ及び又はＳｎ、ＮあるいはＯであり、それぞれの組成比α、β、γ、δ、ε（原子％）が
０＜α≦６
０≦β≦１５
５０≦γ≦７０
５≦δ≦３５
０≦ε≦５
α＋β＋γ＋δ＋ε＋ζ＝１００
であることを特徴とする。
【発明の効果】
【００１９】
本発明によれば、記録光の照射による加熱後の冷却条件により光学的に異なる少なくとも２つの相の領域を作ることで、情報を記録する相変化型光記録媒体に複数種の大きさの記録マークを記録する装置において、記録媒体上には予め製造条件（記録媒体のメーカー、記録媒体のバージョンなど）及び記録方法に関する情報（記録光波形、記録出力、記録光波長など）の少なくとも一方を有しており、記録装置内に記録媒体上に予め記録されている情報を保存し、記録媒体の情報に対応する記録方法を保存する記録装置について、記録に際し第１の過程として記録媒体上に予め記録されている情報と記録装置内に予め記録されている記録媒体の情報とを照会し、第２の過程で予め記録されている該記録媒体の情報に対応する記録方法の情報元に記録媒体に記録し、記録媒体上の情報に対応する記録方法の情報が設定されていない場合に第３の過程として記録媒体上の記録方法に関する情報を元に記録装置内に予め設定されている他の記録媒体情報から記録方法を決定することにより、未知の記録媒体情報を持つ記録媒体において良好な記録方法及び記録装置を得ることができる。
【発明を実施するための最良の形態】
【００２０】
以下、図面を参照して、本発明の光記録媒体の記録装置を実施形態により、詳細に説明する。
本発明は、未知の記録媒体製造会社（記録媒体の製造のみでなく、その記録媒体を用いて様々な情報を入力して販売する会社あるいは個人を意味する）や新種の記録媒体において、規格によって標準記録装置により設定された記録波形の情報を基に好適な記録波形を導出して記録する光記録装置を実現するものである。
【００２１】
一般に相変化記録媒体への記録方法は図４（ｃ）に記載のマルチパルス型の記録波形が用いられる。図４（ａ）は、基本周期Ｔに対し、図４（ｂ）に示すように五倍のＴの記録マーク長で情報の記録を行う。本発明の光記録媒体の記録装置には、５つの基準記録波形に関する情報が保持されている。
これらは、図４（ｃ）に示すマルチパルス型の基準記録波形、図４（ｄ）に示すブロック型記録波形、図４（ｅ）に示す前方パワード型記録波形、図４（ｆ）に示す後方パワード型記録波形、および、図４（ｇ）に示すキャッスル型記録波形である。
これらの基準波形は、記録発光波形を形成している主な部分としてフロントパルス部（ＦＰ部）及びマルチパルス部（ＭＰ部）及びラストパルス部（ＬＰ部）及びクーリングパルス部の一部もしくは全てによって構成されており、それぞれのパルスの熱量及び／または記録パワーと消去パワーの比率が挙げられる。
ここで、光記録媒体と記録装置構成について概略を説明する。
図１は、光記録媒体の記録装置について、その要部構成の一例を示す機能ブロック図である。図において、１は光記録媒体、２はスピンドルモータ、３は光ピックアップ、４はモータドライバ、５はリードアンプ、６はサーボ手段、７はＤＶＤデコーダ、８はＡＤＩＰデコーダ、９はレーザコントローラ、１０はＤＶＤエンコーダ、１１はＤＶＤ−ＲＯＭエンコーダ、１２はバッファＲＡＭ、１３はバッファマネージャ、１４はＤＶＤ−ＲＯＭデコーダ、１５はＡＴＡＰＩ／ＳＣＳＩインターフェース、１６はＤ／Ａコンバータ、１７はＲＯＭ、１８はＣＰＵ、１９はＲＡＭ、２０はパルスジェネレータを示し、ＬＢはレーザ光、Ａｕｄｉｏはオーディオ出力信号を示す。
【００２２】
図１において、矢印はデータが主に流れる方向を示しており、また、図を簡略化するために、図１の各ブロックを制御するＣＰＵ１８には、太線のみを付けて各ブロックとの接続を省略している。ＲＯＭ１７には、ＣＰＵ１８にて解読可能なコードで記述された制御プログラムが格納されている。なお、光記録媒体の記録装置の電源がオン状態になると、制御プログラムは不図示のメインメモリにロードされ、ＣＰＵ１８はそのプログラムに従って上記各部の動作を制御するとともに、制御に必要なデータ等を一時的にＲＡＭ１９に保存する。
【００２３】
光記録媒体の記録装置の構成と動作は次のとおりである。
光記録媒体１は、スピンドルモータ２によって回転駆動される。このスピンドルモータ２は、モータドライバ４とサーボ手段５により、線速度（または角速度）が一定になるように制御される。この線速度（または角速度）は、階段的に変更することが可能である。
【００２４】
光ピックアップ３は、図示されない半導体レーザ、光学系、フォーカスアクチュエータ、トラックアクチュエータ、受光素子およびポジションセンサを内蔵しており、レーザ光ＬＢを光記録媒体１に照射する。また、この光ピックアップ３は、シークモータによってスレッジ方向への移動が可能である。これらのフォーカスアクチュエータ、トラックアクチュエータ、シークモータは、受光素子とポジションセンサとから得られる信号に基いて、モータドライバ４とサーボ手段５とにより、レーザ光ＬＢのスポットが光記録媒体１上の目的の場所に位置するように制御される。
【００２５】
そして、リード時（データ読込時）には、光ピックアップ３によって得られた再生信号が、リードアンプ５で増幅されて２値化される。リードアンプ５内では主に最長信号振幅を規格化する過程と最記録マーク信号を増幅する波形等価過程とを経て２値化される。入力された２値化データは、このＤＶＤデコーダ７において、８／１６復調される。なお、記録データは、８ビットずつまとめられて変調（８／１６変調）されており、この変調では、８ビットを１６ビットに変換している。この場合に、結合ビットは、それまでの「１」と「０」との数が平均的に等しくなるように付けられる。これを「ＤＣ成分の抑制」といい、ＤＣカットされた再生信号のスライスレベル変動が抑圧（抑制）される。
【００２６】
復調されたデータは、デインターリーブ（de-interleave：頁の割り振りの削除）とエラー訂正の処理が行われる。その後、このデータは、ＤＶＤ−ＲＯＭデコーダ１４へ入力され、データの信頼性を高めるために、さらに、エラー訂正の処理が行われる。このように２回のエラー訂正の処理が行われたデータは、バッファマネージャ１３によって一旦バッファＲＡＭ１２に蓄えられ、セクタデータとして揃った状態で、ＡＴＡＰＩ／ＳＣＳＩインターフェース１５を介して、図示しないホストコンピュータへ一気に転送される。なお、音楽データの場合には、ＤＶＤデコーダ７から出力されたデータが、Ｄ／Ａコンバータ１６へ入力され、アナログのオーディオ出力信号Ａｕｄｉｏとして取り出される。
【００２７】
また、ライト時（データ書き込み時）には、ＡＴＡＰＩ／ＳＣＳＩインターフェース１５を通して、ホストコンピュータから送られてきたデータは、バッファマネージャ１３によって一旦バッファＲＡＭ１２に蓄えられる。その後ライト動作が開始されるが、この場合には、その前にレーザスポットを書き込み開始地点に位置させる必要がある。この地点は、ＤＶＤ＋ＲＷ／＋Ｒでは、予め光記録媒体１上にトラックの蛇行により刻まれているウォブル信号によって求められる。
なお、上記地点はＤＶＤ−ＲＷ／−Ｒではウォブル信号の代わりにランドプリピット、ＤＶＤ−ＲＡＭ／ＲＡＭ・ＷＯではプリピットによって求められる。
【００２８】
ＤＶＤ＋ＲＷ／＋Ｒ記録媒体におけるウォブル信号には、ＡＤＩＰ（Address In Pre-groove）と呼ばれるアドレス情報が含まれており、この情報が、ＡＤＩＰデコーダ８によって取り出される。また、このＡＤＩＰデコーダ８によって生成される同期信号は、ＤＶＤエンコーダ１０へ入力され、光記録媒体１上の正確な位置へのデータの書き込みを可能にしている。バッファＲＡＭ１２のデータは、ＤＶＤ−ＲＯＭエンコーダ１１やＤＶＤエンコーダ１０において、エラー訂正コードの付加や、インターリーブが行われ記録用の信号として８／１６変換される。記録用に変調された信号はパルスジェネレータ２０において記録媒体に適した記録光波形に変換され、レーザコントローラ９、光ピックアップ３を介して、光記録媒体１に記録される。
【００２９】
光ピックアップの効率の補正には記録光の回折光を直接に受光素子により測定し、そのパワー変動によりレーザコントローラ９の記録パワーを変更することが可能である。記録媒体に対する記録パワーの補正方法として記録後発光時の反射光の変動から、記録媒体に対する記録パワーの効率を測定しレーザコントローラ９の記録パワーを補正することが可能である。アドレスの制御方法はランドプリピットやプリピットからアドレス情報を得る構成であっても良い。
【００３０】
図２はこの光記録媒体の記録装置を使用した情報処理装置の概略図である。
情報処理装置は、主制御装置 、インターフェース 、記録装置（ＨＤＤ）、入力装置及び表示装置５８などを備えている。主制御装置５２ は、マイクロコンピュータ、メインメモリ（いずれも不図示）などを含んで構成され、ホスト５０ の全体を制御する。
前記インターフェースは、光記録媒体の記録装置との双方向の通信インターフェースであり、ＡＴＡＰＩ及びＳＣＳＩ等の標準インターフェースに準拠している。インターフェースは光記録媒体の記録装置のインターフェース１５と接続されている。なお、各インターフェース間の接続形態は、通信ケーブル（例えばＳＣＳＩケーブル）などの通信線を用いたケーブル接続だけでなく、赤外線などを利用したワイヤレス接続であっても良い。
【００３１】
記録装置（記録媒体ＨＤＤ）には、主制御装置のマイクロコンピュータで解読可能なコードで記述されたプログラムが格納されている。なお、情報処理装置の駆動電源がオン状態になると、上記プログラムは主制御装置のメインメモリにロードされる。
表示装置は、例えばＣＲＴ 、液晶ディスプレイ（ＬＣＤ）、プラズマディスプレイパネル（ＰＤＰ）、ＥＬ（electro-luminescence ：Organic electro-luminescenceも含む）素子などの表示部（図示省略）を備え、主制御装置からの各種情報を表示する。
【００３２】
入力装置は、例えばキーボード、マウス及びポインティングデバイスなどのうち少なくとも１つの入力媒体（図示省略）を備え、ユーザから入力された各種情報を主制御装置に通知する。なお、入力媒体からの情報はワイヤレス方式で入力されても良い。また、表示装置と入力装置とが一体化したものとして、例えばタッチパネル付きＣＲＴ、ＬＣＤ、ＰＤＰ、ＥＬ（ＯＥＬ：有機ＥＬ素子）などがある。
また、情報処理装置はオペレーティングシステム（以下「ＯＳ」という）を搭載している。そして、情報処理装置を構成する全てのデバイスはＯＳによって管理されている。
【００３３】
本発明では記録媒体上を読み出す機能を有し、記録波形のＦＰ部、ＭＰ部、ＬＰ部の熱量を記録装置の記録方式に適した形式に変換する機能を有し、変化した記録波形から記録媒体上に記録波形を変化させた波形を形成する機能を有し、記録媒体に試し書きを行う機能を有することにより実現可能である。本実施形態ではＦＰ部及びＭＰ部及びＬＰ部の熱量の制御は発光時間の長さＦＰ長、ＭＰ長、ＬＰ長によって制御した。また、試し書きを行った領域は消去パワーにて信号を消去する方が好適である。例として図１の記録再生装置を用いた場合、測定された条件に合わせて記録波形を算出する機能をＣＰＵに有し、記録波形を変更して記録可能な機能をパルスジェネレータ２０に有することにより実現可能である。
記録波形変形の条件としてはレーザコントローラ９の記録パワーの設定値が好適である。
【００３４】
記録媒体の基準波形はＤＶＤ±Ｒの場合記録媒体上に記録してある情報を用いることで実現できる。ＤＶＤ＋Ｒの場合、上記ＡＤＩＰ情報内に記録線速ごとの基準波形が規格として定義されている。この場合ＡＤＩＰデコーダ８によって情報を読み出すことができる。ＤＶＤ−Ｒの場合、上記ランドプリピット情報内に記録線速ごとの基準波形が規格として定義されている。この場合ＡＤＩＰデコーダ８の変わりにランドプリピットデコーダによって情報を読み出すことができる。
【００３５】
本発明の記録装置に必要な構成は、一般的なＣＤ−Ｒ／ＲＷドライブ、ＤＶＤ−Ｒ、ＤＶＤ−ＲＷ、ＤＶＤ＋ＲＷドライブにおける記録媒体に記録する機能に、記録波形を変更する条件を評価する機能及び記録波形を変更して記録を続行する機能を有することにより実現可能である。
【００３６】
相変化型光記録媒体の記録方法の一般な基準記録波形はマルチパルス型を用いる。しかし、基準記録装置はある特殊な記録装置によって規定されることが多く、一般の記録装置の記録波形と一致しないことが多い。また、記録装置によっては基準記録波形の形成を実現が出来ない場合もある。そのため、一般的な記録装置では予め記録媒体に対応した記録方法を記録装置内に設定しておき記録媒体上に予め記録されている情報を元に対応する記録方法を選択する方法を用いている。
【００３７】
しかし、この方法では記録方法が予め設定されていない記録媒体に対しては記録方法を設定できず、これら未知の記録媒体に対しては共通の記録方法を用いて記録する方法や記録媒体情報情報から算出した記録方法を用いることが多い。
また、前者の方法ではそれぞれの記録媒体に適した記録方法ではなく、また後者では基準となる記録装置との相関が採ることが困難であり、いずれの方法も良好な記録品質を得ることは難しい。
【００３８】
本発明では、記録媒体の材料やその製造方法は限られており、また生産された記録媒体に対する基準記録装置の記録方法も類似したものが多いことに着目し、未知の記録媒体を用いても良好な記録を提供できる。図３に本発明の記録方法の主な流れのフローチャートを示す。
【００３９】
記録方法の選定（１）は、はじめに記載の記録媒体情報の少なくとも一部と記録装置内の記録媒体情報の少なくとも一部との比較を行う（ステップＳ２）。この際に記録媒体のメーカーやメディアのバージョンなどの情報を比較して記録媒体の特定が効率よく行える。次いでステップＳ３において記録媒体情報と、記録媒体に対応した記録方法が記録装置に保存されているか否かを判定し、保存されている場合には、ステップＳ４に進み、ステップＳ４において対応した記録方法にて記録を行う。
一方、ステップＳ３において対応した記録方法が記録装置に保存していない場合（ステップＳ３においてＮｏの場合）には、ステップＳ５に進み、ステップＳ５において記録媒体情報に記載されている記録光波形、記録出力、記録光波長などの記録方法に関する情報が一致している記録装置内の記録媒体を検索し、一致している記録装置内の記録媒体がある場合（ステップＳ５においてＹｅｓの場合）には、ステップＳ６に進み、ステップＳ６においてその記録媒体に対応した記録方法で記録の試書きを行い、記録品質を評価する。
また、記録方法がコード化されて記録媒体情報になっている場合には、記録光波形、記録出力、記録光波長などを算出して比較することによりステップＳ１０以降のステップが簡便になる。
【００４０】
ステップＳ５において記録媒体情報に記載されている記録光波形及び又は記録出力およびまたは記録光波長などの記録方法に関する情報が一致している記録装置内の記録媒体がない場合（ステップＳ５においてＮｏの場合）には、ステップＳ９に進み、ステップＳ９において記録装置内に保存してある基準記録方法及び又は記録媒体情報に記載されている記録方法を用いて試書きを行い、記録品質を評価する。ステップＳ６およびステップＳ９終了後、どちらもステップＳ７に進み、ステップＳ７において記録品質の評価を行う。このステップＳ７による評価の際に、記録品質の評価として、記録波形の時間的なばらつきすなわちJitter及び／又は記録装置内で記録媒体に記録した情報を読み出したときのエラー数を用いることが可能であり、さらに記録信号のＲＦレベルから算出されるModulation、Asymmetry、Betaなどを用いることも可能である。
【００４１】
ステップＳ７で評価された記録品質が良好と判断した場合（ステップＳ７においてＹｅｓの場合）には、ステップＳ８に進み、ステップＳ８において試書きを行った記録方法を用いて情報記録を開始する。
一方、ステップＳ７において良好な記録品質が得られなかった場合（ステップＳ７においてＮｏの場合）には、ステップＳ１０に進み、ステップＳ１０において試書きを行った記録方法から記録波形、記録パワー、消去パワーを調整した後にさらに試書きを行い、ステップＳ１１において記録品質を評価する。ステップＳ１１において良好な記録品質が得られた場合（ステップＳ１１においてＹｅｓの場合）には、ステップＳ１２に進み、ステップＳ１２においてステップＳ１０で得られた記録方法を用いて記録を開始する。
一方、ステップＳ１１において良好な記録品質が得られなかった場合（ステップＳ１１においてＮｏの場合）には、再度ステップＳ１０に戻り試書きを行う。そして、本実施形態でも示すように、ステップＳ１３に再び同じ記録媒体においてきた場合、あるいは同じ記録媒体において２度以上のある閾値を設け、記録品質がある所定値よりも悪化する可能性の有る記録媒体であれば記録停止し、又、場合によっては良好な記録品質が得られなくとも、たとえばユーザにそれを報知した上で記録することもできる。
【００４２】
本発明の記録装置は、記録媒体として、相変化型光記録媒体ＣＤ−ＲＷ、ＤＶＤ−ＲＷ、ＤＶＤ＋ＲＷ、ＤＶＤ−ＲＡＭにも活用できるものである。また、本発明の記録再生装置に必要な構成は、一般的なＣＤ−Ｒ／ＲＷドライブ、ＤＶＤ−Ｒ、ＤＶＤ−ＲＷ、ＤＶＤ＋ＲＷドライブにおいて容易に実現可能であり、ＣＤ−Ｒ／ＲＷ、ＤＶＤ−Ｒ、ＤＶＤ−ＲＷ、ＤＶＤ＋ＲＷ媒体の高い記録再生互換性を維持したまま実施可能である。
【００４３】
本実施形態では透明基板には、ポリカーボネートを用いたが、本発明ではこれに限定されるものではなく、その他の透明基板として、ポリメチルメタクリレート、ポリメチルペンテン、またはエポキシなどの透明樹脂材料を挙げることができ、さらにガラス等の透明セラミックなどを挙げることができる。
本実施形態では、記録層に相変化材料の層及び相変化材料の熱を保持するための断熱層を含めるものとする。具体的にはＡ−Ｂ−Ｃ−Ｇｅ−Ｔｅで代表される合金等である。ここでＡはＣｕ、Ａｇ、Ａｕ、Ｓｃ、Ｙ、Ｔｉ、Ｚｒ、Ｖ、Ｎｂ、Ｃｒ、Ｍｏ、Ｍｎ、Ｆｅ、Ｒｕ、Ｃｏ、Ｒｈ、Ｎｉ、Ｐｄ、Ｈｆ、Ｔａ、Ｗ、Ｉｒ、Ｐｔ、Ｈｇ、Ｂ、Ｃ、Ｎ、Ｐ、Ｏ、Ｓ、Ｓｅ、ランタニド元素、アクチニド元素、アルカリ土類金属元素、不活性ガス元素、などのうち少なくとも一つの元素を表す。上記合金中、ＢはＦ、Ｃｌ、Ｂｒ、Ｉなどのハロゲン元素、およびＮａ、Ｋなどのアルカリ金属元素のうち少なくとも一元素、ＣはＳｂ、Ｓｎ、Ａｓ、Ｐｂ、Ｂｉ、Ｚｎ、Ｃｄ、Ｓｉ、Ａｌ、ＧａおよびＩｎのうち少なくとも一元素である。また、光磁気材料に使用される金属材料、たとえば上記金属元素のＴｂ、Ｆｅ、Ｃｏなども記録層として使用可能である。たとえば相変化型光記録媒体の記録層がＡα−Ｂβ−Ｃγ−Ｇｅδ−Ｔｅεで表され、Ａは主にＡｇ及びまたはＧｅであり、ＢはＩｎ及び又はＧａであり、ＣはＳｂ、Ｔｅ及び又はＳｎ、ＮあるいはＯであり、それぞれの組成比α、β、γ、δ、ε（原子％）が
０＜α≦６、０≦β≦１５、５０≦γ≦７０、５≦δ≦３５、０≦ε≦５および
α＋β＋γ＋δ＋ε＋ζ＝１００  であってもよい。
【００４４】
保護層としては、同一あるいは個別の材料により構成される。それぞれの材料として、ＳｉＯ、ＳｉＯ2、ＺｎＯ、ＳｎＯ2、Ａｌ2Ｏ3、ＴｉＯ2、Ｉｎ2Ｏ3、ＭｇＯ、ＺｒＯ2などの酸化物、Ｓｉ3Ｎ4、ＡｌＮ、ＴｉＮ、ＢＮ、ＺｒＮなどの窒化物、ＺｎＳ、Ｉｎ2Ｓ3、ＴａＳ4などの硫化物、ＳｉＣ、ＴａＣ、Ｂ4Ｃ、ＷＣ、ＴｉＣ、ＺｒＣなどの炭化物又はダイヤモンド状炭素、あるいはこれらの２種以上の混合物が用いられる。又、記録層あるいは保護層の成形方法としては、スパッタリング、イオンプレーティング、真空蒸着法、プラズマＣＶＤ法など後用いられる。
【００４５】
本実施形態では、反射層として、スパッタ法により銀膜を形成した。この他に反射層の材料としては、アルミニウム、銀、銅などの金属材料又はこれらを主成分とする合金材料を使用することができる。特に金を主体とする金属または合金を用いる事が好適である。銀を主体とするときは、銀の含有率が８０〜１００原子％、特に９０〜１００原子％であることが好ましい。また、これらの反射層材料として、安価でありかつコンパクトディスクにおいて使用されて実績が有ることから、アルミニウムを使用することもできる。金属層材料として金属材料又は合金材料を用いる場合には、スパッタリングや真空蒸着などの真空成膜方法によって、反射層を形成することができる。この場合、真空槽内の真空度を変えて（例えば、１０-5ｔｏｒｒ程度）スパッタリングを行い、密度または結晶化の状態の違う膜を形成して金属反射膜の反射率を高くするか、意図的に反射率を変化させる技術を適用することもできる。
【００４６】
オーバーコート層は主に光硬化樹脂を塗布後、光照射により硬化して膜状に成形して得られたものが用いられる。本実施形態では、オーバーコート層として、ＵＶ硬化樹脂膜を用いた。この他に、オーバーコート層として、ＳｉＯ、ＳｉＮ、ＡｌＮ等の無機材料を用いて、真空成膜方法によって形成することもできる。
【００４７】
本実施形態では、記録媒体として、ＤＶＤ＋ＲＷを用いて本発明の効果を確認した。本実施形態に用いた光記録媒体は、リコー株式会社製の４×ＤＶＤ＋ＲＷを株式会社リコー製ＤＶＤ＋Ｒ／ＲＷドライブＭＰ５２４０Ａを用いて記録した。記録線速は１０×ＣＤスピード（ＣＤ１０倍速）を用いた。記録ストラテジ及び記録パワーは、Ｆ／Ｗのパラメータを変更することにより行なった。基準となる記録波形は記録媒体上にＡＤＩＰ情報として記載されている記録波形を基にこれを変換した波形を用いた。記録信号はパルステック社製ＤＤＵ１０００により信号を再生した。ジッター特性はヨコガワ製ＴＩＡ“ＴＡ５２０”を用いて測定した。本発明の効果として、記録品質を示すジッター（Jitter）特性（σ/Ｔｗ）により評価した。一般的にＤＶＤ＋Ｒの場合、ジッター特性が９％であれば良好な記録品質として認識されている。また、ジッター特性が１１％以上になると再生機器によっては再生時に不具合をおこす可能性がある。再生信号の最大値及び振幅値及び最大記録マークと最小記録マークの振幅中心値の測定は、ＲＦ信号から各信号レベルを、Ｔｅｋｔｒｏｎｉｘ社製オシロスコープを用いて測定し算出した。
【実施例１】
【００４８】
以下、実施例を基に本発明の効果を述べる。
実施例１としてＭＰ長を変化させた時のジッター特性を調べた。表１は実施例１を表したものである。元になった記録波形のジッター特性が９．５％であるがＭＰ長を試し書きを行うことによりＭＰ長を０．０５Ｔ増加させジッター特性９．０％まで改善できた。
【００４９】
【表１】
2007058939.tif 000003
【実施例２】
【００５０】
実施例２としてＰｗ／Ｐｅを変化させた時のジッター特性を調べた。表２は実施例２を表したものである。基になった記録波形のジッター特性が９．５％であるがＰｗ／Ｐｅを、試し書きを行って、現行のＰｗ／Ｐｅを維持することが好適であると確認できた。
【００５１】
【表２】
2007058939.tif 000004
【図面の簡単な説明】
【００５２】
【図１】本発明の記録装置の要部構成の一例を示す機能ブロック図である。
【図２】本発明の情報処理装置のブロック図である。
【図３】本発明の記録方法の主な流れを示すフローチャートである。
【図４】本発明の記録装置で可変の波形として使用される記録波形の例を示す図であり、（ａ）は基本周期Ｔの波形であり、（ｂ）は記録マーク長（この例では５Ｔ）であり、（ｃ）はマルチパルス型の波形であり、（ｄ）はブロック型の波形であり、（ｅ）は前方パワード型の波形であり、（ｆ）は後方パワード型の波形であり、（ｇ）はキャッスル型の波形である。
【符号の説明】
【００５３】
１    光記録媒体
２    スピンドルモータ
３    光ピックアップ
４    モータドライバ
５、６    サーボ手段
７    ＤＶＤデコーダ
８    ＡＤＩＰデコーダ
９    レーザコントローラ
１０    ＤＶＤエンコーダ
１１    ＤＶＤ−ＲＯＭエンコーダ
１２    バッファＲＡＭ
１３    バッファマネージャ
１４    ＤＶＤ−ＲＯＭデコーダ
１５    ＡＴＡＰＩ／ＳＣＳＩインターフェース
１６    Ｄ／Ａコンバータ
１７    ＲＯＭ
１８    ＣＰＵ
１９    ＲＡＭ
２０    パルスジェネレータ
【図１】
2007058939.tif 000005
【図２】
2007058939.tif 000006
【図３】
2007058939.tif 000007
【図４】
2007058939.tif 000008